(57)【要約】      （修正有）【課題】感度が高く小型化に適したアンテナを有する電波時計を提供する。【解決手段】電波時計１は、透光性の風防部材２と、風防部材２の内側表面に配置された面状のアンテナ電極３と、アンテナ電極３の下方にアンテナ電極３から離間して配置されたソーラセル５と、風防部材２の周囲および下方に配置され、ソーラセル５を収納する外装ケース７、７ａと、ソーラセル５よりも下方における外装ケース７の内部または底面に設けられたＧＮＤ電極６とを有する。【選択図】図１
2019074330.tif 000002
【特許請求の範囲】
【請求項１】
透光性の風防部材と、
前記風防部材の内側表面に配置された面状のアンテナ電極と、
前記アンテナ電極の下方に前記アンテナ電極から離間して配置されたソーラセルと、
前記風防部材の周囲および下方に配置され、前記ソーラセルを収納する外装ケースと、
前記ソーラセルよりも下方における前記外装ケースの内部または底面に設けられたＧＮＤ電極と、
を有することを特徴とする電波時計。
【請求項２】
前記外装ケースの内部における前記ソーラセルよりも下方に配置され時刻を計時するムーブメントをさらに有し、
前記ＧＮＤ電極は前記ソーラセルと前記ムーブメントの間に配置されている、請求項１に記載の電波時計。
【請求項３】
前記アンテナ電極は、互いに抵抗率が異なる第１領域および第２領域を有する、請求項１または２に記載の電波時計。
【請求項４】
前記第１領域は前記第２領域よりも前記アンテナ電極の外周側に配置され、前記第１領域の抵抗率は前記第２領域の抵抗率よりも低い、請求項３に記載の電波時計。
【請求項５】
前記第１領域は導電性材料のベタパターンで構成され、前記第２領域は導電性材料の所定パターンで構成される、請求項４に記載の電波時計。
【請求項６】
前記第１領域および前記第２領域は導電性材料の所定パターンで構成され、
前記第１領域よりも前記第２領域の方が、単位面積当たりの電極面積の割合が小さい、請求項４に記載の電波時計。
【請求項７】
前記所定パターンは網目模様である、請求項５または６に記載の電波時計。
【請求項８】
前記第１領域と前記第２領域とは互いに異なる導電性材料で構成されている、請求項４に記載の電波時計。
【請求項９】
前記第２領域の光透過率は前記第１領域の光透過率よりも高い、請求項８に記載の電波時計。
【請求項１０】
前記第１領域と前記第２領域とは同じ導電性材料で構成され、前記第１領域の膜厚は前記第２領域の膜厚よりも大きい、請求項４に記載の電波時計。
【請求項１１】
前記第１領域に前記アンテナ電極と受信回路との接続配線が接続されている、請求項４〜１０のいずれか一項に記載の電波時計。
【請求項１２】
前記ソーラセルの上面に配置された文字板と、
前記文字板の上面における外周端部に配置された環状部材と、をさらに有し、
前記第１領域は、前記環状部材の上方において、平面視で前記環状部材に重なる位置に配置されている、請求項４〜１１のいずれか一項に記載の電波時計。
【請求項１３】
前記外装ケースは導電性材料で構成され、
前記アンテナ電極と前記外装ケースとの間を隔てるように配置された誘電体部材をさらに有する、請求項１〜１１のいずれか一項に記載の電波時計。
【発明の詳細な説明】
【技術分野】
【０００１】
本発明は、電波時計に関する。
【背景技術】
【０００２】
特許文献１には、腕時計用のアンテナ付風防ガラスであって、透明な絶縁体を備える第１の絶縁体層と、第１の絶縁体層に接合され第１の透明電極（放射素子、すなわちアンテナ電極）を備える第１の電極層と、第１の電極層に接合され透明な絶縁体を備える第２の絶縁体層と、第１の透明電極に対向する第２の透明電極（ＧＮＤ電極）を備え第２の絶縁体層に接合される第２の電極層とを備えるものが記載されている。
【０００３】
特許文献２には、電波を受信するリング型パッチアンテナを有する電子時計であって、カバーガラスの下面の周縁部よりやや内側にリング状にアンテナパターンが形成され、金属ケースがＧＮＤプレーンとして機能するものが記載されている。
【０００４】
特許文献３には、腕時計などの電子機器の風防部材であって、電波を受信するアンテナとなる透明導電膜が透明基材の表面に形成され、ＧＮＤとなる別の透明導電膜がその透明基材の裏面に形成されたものが記載されている。
【０００５】
特許文献４には、時刻表示用のムーブメントと、ムーブメントを収容する導電性のケースと、ケースの表面側に設けられムーブメントの表面側を覆うカバーガラスと、ムーブメントおよびカバーガラスの間に配置され電波を反射する導電性の導体板と、略環状の導電性のアンテナ電極を有するアンテナとを備え、アンテナが導体板およびカバーガラスの間で導体板の外周縁に沿って配置される無線機能付き時計が記載されている。
【先行技術文献】
【特許文献】
【０００６】
【特許文献１】特開２０１７−０２６３６０号公報
【特許文献２】特開２０１７−０３２５０６号公報
【特許文献３】特開２０１６−０９０４５７号公報
【特許文献４】特開２０１１−０２１９２９号公報
【発明の概要】
【発明が解決しようとする課題】
【０００７】
特許文献１のアンテナのように、風防部材（風防ガラス）にアンテナ電極とＧＮＤ電極を設けると、風防部材が非常に厚くなり、透過率も大きく低下して視認性が悪くなる。特許文献１の構成では、風防部材を薄く形成したとても、加工が複雑になるし、アンテナ電極とＧＮＤ電極の間の距離が近過ぎて感度低下の要因となり、小型化の妨げにもなる。特許文献２，３のアンテナでも、アンテナ電極とＧＮＤ電極の間の距離が近いため、同様に感度が不十分になるおそれがある。また、特許文献２，４のアンテナのようにアンテナ電極が環状であると、必ずしも所望の電気力線が得られず、面状アンテナと比較して感度が低くなる。
【０００８】
そこで、本発明は、感度が高く小型化に適したアンテナを有する電波時計を提供することを目的とする。
【課題を解決するための手段】
【０００９】
透光性の風防部材と、風防部材の内側表面に配置された面状のアンテナ電極と、アンテナ電極の下方にアンテナ電極から離間して配置されたソーラセルと、風防部材の周囲および下方に配置され、ソーラセルを収納する外装ケースと、ソーラセルよりも下方における外装ケースの内部または底面に設けられたＧＮＤ電極とを有することを特徴とする電波時計が提供される。
【００１０】
上記の電波時計は、外装ケースの内部におけるソーラセルよりも下方に配置され時刻を計時するムーブメントをさらに有し、ＧＮＤ電極はソーラセルとムーブメントの間に配置されていることが好ましい。
【００１１】
アンテナ電極は、互いに抵抗率が異なる第１領域および第２領域を有することが好ましい。さらに、第１領域は第２領域よりもアンテナ電極の外周側に配置され、第１領域の抵抗率は第２領域の抵抗率よりも低いことが好ましい。
【００１２】
さらに、第１領域は導電性材料のベタパターンで構成され、第２領域は導電性材料の所定パターンで構成されるか、あるいは、第１領域および第２領域は導電性材料の所定パターンで構成され、第１領域よりも第２領域の方が単位面積当たりの電極面積の割合が小さいことが好ましい。さらに、所定パターンは網目模様であることが好ましい。
【００１３】
あるいは、第１領域と第２領域とは互いに異なる導電性材料で構成されていることが好ましい。さらに、第２領域の光透過率は第１領域の光透過率よりも高いことが好ましい。
【００１４】
あるいは、第１領域と第２領域とは同じ導電性材料で構成され、第１領域の膜厚は第２領域の膜厚よりも大きいことが好ましい。
【００１５】
第１領域にアンテナ電極と受信回路との接続配線が接続されていることが好ましい。
【００１６】
上記の電波時計は、ソーラセルの上面に配置された文字板と、文字板の上面における外周端部に配置された環状部材とをさらに有し、第１領域は、環状部材の上方において、平面視で環状部材に重なる位置に配置されていることが好ましい。また、外装ケースは導電性材料で構成され、上記の電波時計はアンテナ電極とケースとの間を隔てるように配置された誘電体部材をさらに有することが好ましい。
【発明の効果】
【００１７】
上記の電波時計によれば、本構成を有しない場合と比べて、感度が高く小型化に適したアンテナが得られる。
【図面の簡単な説明】
【００１８】
【図１】電波時計１の断面図である。
【図２】アンテナ電極３およびＧＮＤ板６の概略構成図である。
【図３】別のアンテナ電極３Ａ〜３Ｃを説明するための上面図および部分断面図である。
【図４】さらに別のアンテナ電極３Ｄ〜３Ｇを説明するための上面図である。
【図５】高誘電体部材を有する別の電波時計の部分断面図および上面図である。
【発明を実施するための形態】
【００１９】
以下、図面を参照して、電波時計について詳細に説明する。ただし、本発明は図面または以下に記載される実施形態には限定されないことを理解されたい。
【００２０】
図１は、電波時計１の断面図である。電波時計１は、風防ガラス２、アンテナ電極３、文字板４、ソーラセル５、ＧＮＤ板６、ケース７、指針８、見返しリング９およびムーブメント１０などを有する。電波時計１は、例えばＧＰＳ（全地球測位システム）衛星からの電波または標準電波、その他の無線電波などを受信し、その電波に含まれる時刻情報を取得して、内部で計時している時刻を修正する。以下では、電波時計１は腕時計であるとして説明するが、電波時計は腕時計には限定されず、例えば置時計であってもよい。
【００２１】
風防ガラス２は、透光性（透明）の風防部材の一例であり、サファイアガラス、石英ガラスまたはプラスチック材料などで構成され、電波時計１の最上層を覆う。アンテナ電極（パッチ電極）３は、例えば、風防ガラス２の内側（図１における下側）表面を面状に覆うように配置されて、ＧＰＳ信号または標準電波、その他の無線電波などを受信する。アンテナ電極３は、下方の文字板４を視認できるように、アルミニウムや銀、銅などの金属材料もしくはこれらの合金材料によるメタルメッシュ、またはＩＴＯ（酸化インジウムスズ）などの透明導電膜で構成される。文字板４は、アンテナ電極３の下方において、ソーラセル５の上面にアンテナ電極３とは間隔を空けて配置された部材であり、例えば非導電性の合成樹脂材料やセラミックなどで構成され、透光性を有する。文字板４の上面の外周部には、時刻の表示用に、複数の指標４ａが例えば円周上に配置されている。
【００２２】
ソーラセル（ソーラパネル）５は、文字板４の下面近傍または下面に接触して配置された部材であり、電波時計１の上方から風防ガラス２、アンテナ電極３および文字板４を透過して入射した光を受光して発電する。ＧＮＤ板６は、ＧＮＤ電極の一例であり、ステンレス鋼、真鍮またはチタン合金などの導電性材料（金属材料）で構成され、ソーラセル５のさらに下方であってソーラセル５とムーブメント１０の間に配置されている。ソーラセル５とＧＮＤ板６は、文字板４の下側にあるため、文字板４と同様に、アンテナ電極３とは間隔を空けて配置されている。
【００２３】
ケース７は、例えば円筒形の内部空間を有する部材であり、裏蓋７ａはその内部空間の底部を塞ぐ部材である。ケース７と裏蓋７ａは、ソーラセル５やムーブメント１０などを収納する外装ケースを構成する。なお、ケース７を、ベゼルとその下方に配置される胴部との２つの部材で構成してもよい。ケース７と裏蓋７ａは、例えば、ステンレス鋼、真鍮またはチタン合金などの導電性材料（金属材料）で構成される。ただし、ケース７の一部をセラミックなどの非導電性材料で構成してもよく、ケース７がベゼルと胴部を有する場合には、ベゼルを非導電性材料で構成してもよい。ケース７の内部空間が円筒形であることにより、ケース７の内側に配置される風防ガラス２、アンテナ電極３、文字板４、ソーラセル５およびＧＮＤ板６は、いずれも円盤状の形状を有する。ただし、円盤形状は一例であり、電波時計のデザインによっては、例えば四角形などの他の形状であってもよい。
【００２４】
指針８は、例えば時針、分針および秒針の３本で構成され、アンテナ電極３と文字板４の間において、文字板４の中央を通る回転軸の周りに回転して、時刻を表示する。見返しリング９は、文字板４の上面における外周端部に配置された環状部材であり、非導電性材料で構成されることが好ましい。
【００２５】
ムーブメント１０は、ソーラセル５の下方に配置された回路基板１１，１２、ステップモータ１３、輪列（歯車）１４および電池１５で構成され、時刻を計時するとともに、指針８を回転させて時刻を表示する。回路基板１１は、ケース７内の下端付近に配置され、受信回路１１ａおよび制御回路１１ｂを有する。受信回路１１ａは、アンテナ電極３で受信された信号の処理を行い、制御回路１１ｂは、受信回路１１ａの動作制御、ステップモータ１３の駆動制御および電池１５の管理などを行う。回路基板１２は、ステップモータ１３が搭載された基板であり、回路基板１１よりも高い位置に配置されている。なお、回路基板は必ずしも回路基板１１，１２の２枚に分かれていなくてもよい。
【００２６】
ステップモータ１３と輪列１４は、指針８の駆動機構である。ステップモータ１３は、輪列１４を介して指針８に連結しており、制御回路１１ｂによって駆動されることで指針８を回転させる。電池１５は、回路基板１１上に配置され、受信回路１１ａ、制御回路１１ｂおよびステップモータ１３などに電力を供給する。
【００２７】
電波時計１は、さらに、給電線１６、導通部１７，１８、基板押さえ１９および絶縁部材２０を有する。給電線１６は、アンテナ電極３と回路基板１１とを電気的に接続する接続配線（給電ピン）である。なお、給電線１６をＦＰＣ（フレキシブルプリント配線基板）で構成してもよい。導通部１７はソーラセル５と回路基板１２の間および回路基板１１と回路基板１２の間を、導通部１８はＧＮＤ板６と回路基板１１の間を、それぞれ電気的に接続する。導通部１７，１８は、例えばバネやＦＰＣなどで構成される。基板押さえ１９は、回路基板１１を保持するための部材であり、その下面には裏蓋７ａとの接続用のアースバネ１９ａが形成されている。絶縁部材２０は、例えば絶縁ゴムで構成され、風防ガラス２とケース７の間およびケース７と裏蓋７ａの間に配置されて、これらを電気的に絶縁する。
【００２８】
以上の配置により、電波時計１では、ＧＮＤ板６は、導通部１８、回路基板１１およびアースバネ１９ａを介して裏蓋７ａに電気的に接続されている。なお、図示した例とは異なり、ＧＮＤ板６をケース７に電気的に接続してもよい。
【００２９】
図２（Ａ）〜図２（Ｃ）は、アンテナ電極３およびＧＮＤ板６の概略構成図である。具体的には、図２（Ａ）はケース７に組み込まれたアンテナ電極３の上面図であり、図２（Ｂ）はアンテナ電極３とＧＮＤ板６の外形を示す上面図であり、図２（Ｃ）はアンテナ電極３とＧＮＤ板６を重ねた状態の上面図である。アンテナ電極３とＧＮＤ板６とが対向することで、電波受信用のアンテナが構成される。なお、図２（Ａ）および後述する各上面図では、簡単のため、図１の文字板４などの説明に必要のない部材については、図示を省略している。
【００３０】
一般に、高周波アンテナでは、アンテナ電極のエッジ部分（外周端部）の電流密度が高くなるため、エッジ部分の導電性を高める必要がある。このため、アンテナ電極３は、環状ではなく円盤状の電極であり、かつ、電流密度が高くなる外周部の抵抗値が中央部の抵抗値よりも低くなるように構成される。図２（Ａ）に示すように、アンテナ電極３は、外周側の円環状の第１領域３１と、第１領域３１よりも内側の第２領域３２とを有する。第１領域３１と第２領域３２の材質は、例えばアルミニウムや銀、銅などの金属材料、またはこれらの合金からなる導電性材料であり、第１領域３１はベタパターンで構成され、第２領域３２はメタルメッシュ（網目模様）で構成される。２つの領域の材質が同じで、かつ第２領域３２のパターンの密度が第１領域３１よりも低いので、第１領域３１の単位面積当たりの抵抗率（以下、面抵抗率という）は、第２領域３２の面抵抗率よりも低い。
【００３１】
第２領域３２もベタパターンで構成すればアンテナの感度はさらに高くなるが、それではアンテナ電極３の光透過率が低くなり、文字板４が見え難くなるとともにソーラセル５の発電量も低下する。視認性を高めるためには、アンテナ電極３の中央部である第２領域３２をメッシュパターンで構成することが好ましい。
【００３２】
また、例えばメッシュパターンの一部に穴が形成されていると、その部分が目立ってしまい、時計の装飾品としての価値が損なわれる。このため、審美性の観点から、アンテナ電極３のパターンは、第１領域３１および第２領域３２のそれぞれにおいて一様に形成されていることが好ましい。また、同様に審美性の観点から、図１に示すように、第１領域３１は、見返しリング９の上方において、平面視で（すなわち、風防ガラス２の上面から視認したときに）見返しリング９に重なる位置に配置されていることが好ましい。なお、第２領域３２のメッシュパターンをより目立ち難くするためには、文字板４の色をアンテナ電極３と同系色にすることが好ましい。
【００３３】
アンテナ電極３に低抵抗の材料を用いると、メタルメッシュの線幅を１０〜数μｍ程度まで細くすることができる。ただし、ここまで細くしなくても、線幅を１００μｍ以下にすれば、メッシュパターンは視覚的にはほとんど認識されない。また、時計を腕に付けて時刻を確認するときの目と時計の間の距離は、概ね１５〜２０ｃｍである。例えば、対象物から２０ｃｍの距離で見た場合には、視力１．０の人は対象物上の６０μｍの隙間を認識でき、一般的に視力が良いとされている視力１．５の人は、４０μｍの隙間を認識できる。また、人間の目のピント調整の限界は概ね８ｃｍであり、対象物から８ｃｍの距離で見た場合には、視力１．５の人は１６μｍの隙間を認識できる。以上を踏まえると、メッシュパターンを視覚的に認識されないようにするためには、その線幅を、１００μｍ以下、好ましくは４０μｍ以下、より好ましくは１６μｍまたは１０μｍ以下にするとよい。
【００３４】
アンテナ電極３は、図１に示す給電線１６を介して回路基板１１上の受信回路１１ａに電気的に接続されている。給電線１６が使用者に視認されると美観を損ねること、および、アンテナ電極３では電流が第１領域３１に集中することから、文字板４の外周側である第１領域３１に給電線１６とアンテナ電極３との接続位置（給電位置）を設けることが好ましい。
【００３５】
アンテナ電極３では、図２（Ａ）〜図２（Ｃ）に示すように、第１領域３１における６時位置に同一平面内で突出する給電部３１ａが設けられ、その下面に給電線１６が接続されている。給電部３１ａは、第１領域３１から突出することなく、第１領域３１内の一部分に形成されていてもよい。また、給電部３１ａの位置は、６時位置に限らず他の位置でもよい。ただし、図２（Ａ）に示すように、ケース７の３時位置にはリューズ２１が、２時位置および４時位置には操作ボタン２２がそれぞれ設けられているので、アンテナ電極３上の給電部３１ａの位置は、これらから離れた６時位置〜１２時位置の間であることが好ましい。
【００３６】
図２（Ｂ）および図２（Ｃ）に示すように、ＧＮＤ板６の外径は、アンテナの感度を向上させるためにアンテナ電極３の外径よりも大きく、アンテナ電極３は、平面視でＧＮＤ板６の内側に配置されている。ＧＮＤ板６には、給電線１６を通すための貫通孔６ａが６時位置に設けられており、ケース７内において、アンテナ電極３とＧＮＤ板６は、図２（Ｃ）に示すように、給電部３１ａと貫通孔６ａの位置が重なるように配置されている。なお、ＧＮＤ板６は、給電線１６用に貫通孔６ａではなく切り欠きを有してもよい。また、給電線１６を同軸線路とする場合には、その外皮部とＧＮＤ板６とを接続して導通を取ってもよい。
【００３７】
電波時計１では、アンテナ電極３が面状のアンテナ電極であり、線状アンテナよりも電極面積が大きいため、所望の電気力線が得られる。また、風防ガラス２の内側（ムーブメント１０側）の表面にアンテナ電極３を配置し、ソーラセル５の下にＧＮＤ板６を配置することにより、アンテナ電極とＧＮＤ電極との間が比較的遠くなる。例えば腕時計では、風防ガラスの厚みは高々２ｍｍ程度だが、風防ガラスと文字板の間の距離は、それよりも長い３〜４ｍｍ程度ある。このため、電波時計１では、アンテナ電極３とＧＮＤ板６の間の距離を空けた分だけアンテナの感度が高くなり、感度の確保のためにアンテナのサイズを大きくする必要がないため、小型化にも有利になる。
【００３８】
さらに、アンテナ電極３では、外周部（第１領域３１）の抵抗値が中央部（第２領域３２）の抵抗値よりも低いため、エッジ部分の導電性が高くなり、伝送ロスが抑えられる。また、アンテナ電極３では、外周部が見返しリング９と重なる位置のベタパターンであり、かつ中央部が一様なメッシュパターンであるため、審美性と視認性も確保される。
【００３９】
ソーラセル５の上にＧＮＤ板６を配置するとソーラセル５が発電しなくなってしまうので、ＧＮＤ板６はケース７内でソーラセル５よりも下方に配置する必要がある。ソーラセル５よりも下方であれば、ソーラセル５とムーブメント１０の間にＧＮＤ板６を配置する代わりに、例えば、ムーブメント１０の回路基板１１にＧＮＤ電極の機能を持たせてもよく、あるいは、裏蓋７ａ（ケース７の底面）をＧＮＤ電極として使用してもよい。ただし、ＧＮＤ電極がムーブメント１０内にあると、ムーブメント１０内の受信回路１１ａ、制御回路１１ｂ、ステップモータ１３および電池１５などの影響によって電界が乱されるため、アンテナの感度が低下するおそれがある。このため、ＧＮＤ板６の位置は、ソーラセル５とムーブメント１０の間であって、ソーラセル５の直下とすることが好ましい。
【００４０】
図３（Ａ）〜図３（Ｃ）は、別のアンテナ電極３Ａ〜３Ｃを説明するための上面図および部分断面図である。これらの図では、図２（Ａ）と同様に、ケース７に組み込まれたアンテナ電極３Ａ〜３Ｃの上面図を示しており、図３（Ｂ）と図３（Ｃ）では、風防ガラス２とアンテナ電極３Ｂ，３Ｃの部分断面図も示している。電波時計１は、図２（Ａ）のアンテナ電極３に代えて、図３（Ａ）〜図３（Ｃ）のアンテナ電極３Ａ〜３Ｃのいずれかを有してもよい。
【００４１】
図３（Ａ）に示すアンテナ電極３Ａでは、外周部の第１領域３１Ａと中央部の第２領域３２Ａとが、両方ともアルミニウムや銀、銅などの金属材料またはこれらの合金などの導電性材料のメタルメッシュで構成される。ただし、第１領域３１Ａのメッシュは細かく（隙間が少なく）、第２領域３２Ａのメッシュは荒い（隙間が多い）ので、第１領域３１Ａよりも第２領域３２Ａの方が、単位面積当たりの電極面積の割合が小さい。図３（Ｂ）に示すアンテナ電極３Ｂでは、第１領域３１Ｂと第２領域３２Ｂとが、ＩＴＯなどの同じ導電性材料で構成される。ただし、アンテナ電極３Ｂでは、図３（Ｂ）の下側の部分断面図に示すように、第１領域３１Ｂの膜厚は第２領域３２Ｂの膜厚よりも大きい。
【００４２】
図３（Ｃ）に示すアンテナ電極３Ｃでは、第１領域３１Ｃと第２領域３２Ｃはともにベタパターンであり、第１領域３１Ｃをアルミニウム、第２領域３２ＣをＩＴＯとするなど、第１領域３１Ｃと第２領域３２Ｃとは互いに異なる導電性材料で構成される。各領域の材質および厚さは、第１領域３１Ｃの抵抗値（面抵抗率）が第２領域３２Ｃの抵抗値（面抵抗率）よりも低く、かつ第２領域３２Ｃの光透過率が第１領域３１Ｃの光透過率よりも高くなるように選択される。
【００４３】
アンテナ電極３Ａ〜３Ｃでも、アンテナ電極３と同様に、外周部の抵抗値（面抵抗率）が中央部の抵抗値（面抵抗率）よりも低いため、エッジ部分の導電性が高くなり、伝送ロスが抑えられる。また、中央部の光透過率が外周部よりも高いため、視認性が確保され、パターンの一様性により審美性も確保される。なお、第１領域と第２領域のパターンはベタまたはメッシュ（網目模様）に限らず、ストライプ（縞模様）などの他のパターンでもよい。また、第１領域と第２領域をメタルメッシュとする場合でも、メッシュの細かさを場所に応じて段階的に（グラデーションで）変化させてもよい。
【００４４】
図４（Ｄ）〜図４（Ｇ）は、さらに別のアンテナ電極３Ｄ〜３Ｇを説明するための上面図である。アンテナが受信した電波信号を受信回路１１ａに損失なく伝送するためには、インピーダンスマッチングを行う必要がある。図４（Ｄ）は、回路基板１１（アンテナの外部）でインピーダンスマッチングを行う例を示し、図４（Ｅ）〜図４（Ｇ）は、アンテナの内部でインピーダンスマッチングを行う例を示す。電波時計１は、図２（Ａ）のアンテナ電極３に代えて、図４（Ｄ）〜図４（Ｇ）のアンテナ電極３Ｄ〜３Ｇのいずれかを有してもよい。
【００４５】
図４（Ｄ）に示すアンテナ電極３Ｄは、アンテナ電極３のものと同じ第１領域３１Ｄおよび第２領域３２Ｄを有するが、第１領域３１Ｄの給電部３１ａにＬＣ回路４０が接続されている点がアンテナ電極３とは異なる。ＬＣ回路４０は、実際には回路基板１１上に形成される。図４（Ｅ）に示すアンテナ電極３Ｅは、アンテナ電極３のものと同様の第１領域３１Ｅおよび第２領域３２Ｅを有するが、６時位置において給電部３１ａ’が第２領域３２Ｅの中央側に直線状に延びている点がアンテナ電極３とは異なる。
【００４６】
図４（Ｆ）および図４（Ｇ）に示すアンテナ電極３Ｆ，３Ｇは、アンテナ電極３Ｂまたはアンテナ電極３Ｃと同様の第１領域３１Ｆおよび第２領域３２Ｆならびに第１領域３１Ｇおよび第２領域３２Ｇを有する。アンテナ電極３Ｆ，３Ｇは、アンテナ電極３Ｆ，３Ｇを構成するＩＴＯの膜厚が６時位置付近の領域３３，３３’においてグラデーション状に変化している点がアンテナ電極３とは異なる。領域３３，３３’では、ＩＴＯの膜厚が、アンテナ電極３Ｆ，３Ｇの中央側から外周側に向けて、段階的に大きくなる。なお、第２領域をメタルメッシュで構成する場合には、メッシュの密度を同様にグラデーション状に変化させてもよい。この場合、領域３３，３３’において、アンテナ電極３Ｆ，３Ｇの中央側から外周側に向けて、メッシュの密度を段階的に大きくすればよい。
【００４７】
ケース７（ベゼル）が導電性材料で構成されている場合には、アンテナ電極３に入ってきた電波がアンテナ電極３の端部からケース７側に抜けてしまう可能性がある。そこで、アンテナ電極３の端部からケース７までの見かけの距離（波長短縮を考慮した電気的な距離）を長くするために、アンテナ電極３とケース７の間に、例えば比誘電率が１０以上の高誘電体部材を配置してもよい。
【００４８】
図５（Ａ）〜図５（Ｄ）は、高誘電体部材を有する別の電波時計の部分断面図および上面図である。図５（Ａ）および図５（Ｂ）は、アンテナ電極３の第１領域３１とケース７の間を隔てるように高誘電体部材３０が配置された電波時計の部分断面図および上面図である。高誘電体部材３０は、セラミック（アルミナやジルコニア、酸化チタン）または高誘電プラスチックなどで構成され、円環状の形状を有し、見返しリング９の上面に配置されている。
【００４９】
図５（Ｃ）および図５（Ｄ）は、図１の見返しリング９をセラミックまたはプラスチックなどの高誘電体部材３０’で構成した電波時計の部分断面図および上面図である。高誘電体部材３０’は、環状部材の一例であり、アンテナ電極３の第１領域３１の下方を覆うとともに、上端部に第１領域３１とケース７の間を隔てる円環状の突起部３０ａ’を有する。特に、セラミックは細く成形されると割れ易いので、強度を確保するためには、図５（Ｃ）および図５（Ｄ）の例のように、高誘電体部材３０’はある程度の太さを有することが好ましい。また、見返しリングを高誘電体部材３０’で構成する場合にも、第１領域３１は平面視で高誘電体部材３０’に重なる位置に配置されていることが好ましい。
【００５０】
特に、アンテナ電極３とＧＮＤ板６との電界結合が最も密となる領域は、第１領域３１と対向するＧＮＤ板６上の領域であるため、第１領域３１と重なる高誘電体部材の厚さをアンテナ電極３と文字板４との間の距離と略同一にすることが好ましい。これにより、アンテナ電極３とＧＮＤ板６とをより電気的に離間でき、アンテナの感度を向上させることができる。また、文字板４の材質をセラミックなどの高誘電体としてもよく、これにより、アンテナ電極３とＧＮＤ板６とをさらに電気的に離間できるため、感度を向上させることができる。
【００５１】
なお、電波時計１ではソーラセル５とＧＮＤ板６は別部材であるが、ソーラセル５自体にＧＮＤ電極の機能を持たせてもよい。例えば、ソーラセル５をソーラパネルとパネル支持板とで構成し、このパネル支持板を金属部材で構成してＧＮＤ板６としてもよい。あるいは、ソーラセル５が集光効率を高める金属部材の反射板を有する場合には、この反射板をＧＮＤ板６としてもよい。
【００５２】
また、風防ガラス２の外周部でアンテナ電極３の端部が目立たないように、アンテナ電極３の第１領域３１と給電部３１ａを目隠しで覆ってもよい。また、アンテナ電極３の形状は、２次元状に広がるものであれば、円盤状に限らず、四角形などの他の形状でもよい。例えば、電波時計が四角いデザインのモデルであれば、アンテナ電極も四角い形状を有してもよく、アンテナ電極は文字板の外形とおおよそ同形状であるとよい。
【符号の説明】
【００５３】
１    電波時計
２    風防ガラス
３，３Ａ，３Ｂ，３Ｃ，３Ｄ，３Ｅ，３Ｆ，３Ｇ    アンテナ電極
３１，３１Ａ，３１Ｂ，３１Ｃ，３１Ｄ，３１Ｅ，３１Ｆ，３１Ｇ    第１領域
３１ａ，３１ａ’    給電部
３２，３２Ａ，３２Ｂ，３２Ｃ，３２Ｄ，３２Ｅ，３２Ｆ，３２Ｇ    第２領域
４    文字板
５    ソーラセル
６    ＧＮＤ板
７    ケース
１０    ムーブメント
１６    給電線
３０，３０’    高誘電体部材
【図１】
2019074330.tif 000003
【図２】
2019074330.tif 000004
【図３】
2019074330.tif 000005
【図４】
2019074330.tif 000006
【図５】
2019074330.tif 000007